【手続補正書】
【提出日】平成24年7月10日(2012.7.10)
【手続補正１】
【補正対象書類名】明細書
【補正対象項目名】０１４４
【補正方法】変更
【補正の内容】
【０１４４】
【表１】
2012503703.tif 000001
本願発明に関連する発明の実施形態について以下に列挙する。
[実施形態１]
−ＣＯＯＨ基を含む第１のペンダント基又はその塩と、
ポリ（アルキレンオキシド）基を含む第２のペンダント基と、
ケイ素含有基を含む第３のペンダント基と、
第四級アミノ基を含む第４のペンダント基と、を含む、
複数のペンダント基を有する高分子材料。
[実施形態２]
前記第２のペンダント基が式−（ＣＯ）−Ｑ−（Ｒ２Ｏ）ｎＲ３であり、
式中、Ｑはオキシ又は−ＮＲ１−であり、Ｒ１は水素、アルキル、アリール、又はアラルキルから選択され、
Ｒ２は独立してアルキレンであり、
Ｒ３はアルキルであり、
ｎは１を超える整数である、実施形態１に記載の高分子材料。
[実施形態３]
前記第３のペンダント基が式−（ＣＯ）−Ｑ−Ｌ１−Ｓｉ（ＯＲ４）（Ｒ５）２であり、
式中、Ｑはオキシ又は−ＮＲ１−であり、Ｒ１は水素、アルキル、アリール、又はアラルキルから選択され、
Ｌ１はアルキレン又はヘテロアルキレンを含む、第１連結基であり、
Ｒ４は独立して水素、又はアルキルであるか、又はシリコーンの一部であり、
各Ｒ５は独立してヒドロキシル、アルキル、ペルフルオロアルキル、アリール、アラルキル、又はアルコキシであり、又はシリコーンの一部である、
実施形態１に記載の高分子材料。
[実施形態４]
前記第４のペンダント基が式−（ＣＯ）−Ｑ−Ｌ２−［Ｎ（Ｒ６）２（Ｒ７）］＋Ｘ−である場合、
式中、Ｑはオキシ又は−ＮＲ１−であり、Ｒ１は水素、アルキル、アリール、又はアラルキルから選択され、
Ｌ２はアルキレン又はヘテロアルキレンを含む、第１連結基であり、
各Ｒ６は独立してアルキル、アリール、又はアラルキルであり、
Ｒ７はアルキルであり、
Ｘ−はアニオンである、実施形態１に記載の高分子材料。
[実施形態５]
Ｒ６が１〜３個の炭素原子を有するアルキルであり、Ｒ７が１０〜２０個の炭素原子を有するアルキルである、実施形態４に記載の高分子材料。
[実施形態６]
高分子材料であって、
（ａ）少なくとも１つの、二価の式（Ｉ）のユニット又はその塩と、
【化１】
2012503703.tif 000002
（ｂ）少なくとも１つの、二価の式（ＩＩ）のユニット又はその塩と、
【化２】
2012503703.tif 000003
（ｃ）少なくとも１つの、二価の式（ＩＩＩ）のユニット又はその塩と、を含み、
【化３】
2012503703.tif 000004
式中、
各Ｄは独立して水素又はアルキルであり、
各Ｑは独立してオキシ又は−ＮＲ１−であり、Ｒ１は水素、アルキル、アリール、又はアラルキルから選択され、
各Ｒ２は独立してアルキレンであり、
各Ｒ３はアルキルであり、
Ｒ４は水素、又はアルキルであり、又はシリコーンの一部であり、
各Ｒ５は独立してヒドロキシル、アルキル、ペルフルオロアルキル、アリール、アラルキル、又はアルコキシであり、又はシリコーンの一部であり、
各Ｒ６は独立してアルキル、アリール、又はアラルキルであり、
Ｒ７はアルキルであり、
Ｌ１はアルキレン又はヘテロアルキレンを含む、第１連結基であり、
Ｌ２はアルキレン又はヘテロアルキレンを含む、第２連結基であり、
ｎは１を超える整数であり、
Ｘ−はアニオンである、高分子材料。
[実施形態７]
前記高分子材料が更に、
（ｄ）少なくとも１つの、二価の式（ＩＶａ）、式（ＩＶｂ）の基、又はこれらの塩を含み、
【化４】
2012503703.tif 000005
式中、
各Ｒ８はアルキルである、実施形態６に記載の高分子材料。
[実施形態８]
Ｒ８が１〜１０個の炭素原子を有するアルキルである、実施形態７に記載の高分子材料。
[実施形態９]
高分子材料の調製方法であって、
複数の無水物基を有する高分子前駆体共重合体を含む溶液を提供することと、
少なくとも１つの前記無水物基を、第一級アミノ基、第二級アミノ基、又はヒドロキシル基から選択される単一の求核基を有するポリ（アルキレンオキシド）と反応させることにより、ポリ（アルキレンオキシド）含有ペンダント基を形成させることと、
少なくとも１つの前記無水物基を、第一級アミノ基、第二級アミノ基、又はヒドロキシル基から選択される第１官能基と、ケイ素含有基である第２官能基と、を有する、シランと反応させることにより、ケイ素含有ペンダント基を形成させることと、
少なくとも１つの前記無水物基を、第一級アミノ基、第二級アミノ基、又はヒドロキシル基から選択される第１官能基と、第三級アミノ基である第２官能基と、を有する、アミンと反応させることにより、第三級アミノ含有ペンダント基を形成させることと、
前記第三級アミノ含有ペンダント基をアルキル化剤でアルキル化して第四級アミノ含有ペンダント基を形成させることと、を含む、方法。
[実施形態１０]
少なくとも１つの前記無水物基をアルコールと反応させることにより、アルコキシカルボニル含有ペンダント基を形成させることを更に含む、実施形態９に記載の方法。
[実施形態１１]
前記アルコールが１〜６個の炭素原子を有する、実施形態１０に記載の方法。
[実施形態１２]
前記高分子材料を基材上にコーティングしてコーティング層を形成することを更に含む、実施形態９に記載の方法。
[実施形態１３]
前記ポリ（アルキレンオキシド）含有ペンダント基が式−（ＣＯ）−Ｑ−（Ｒ２Ｏ）ｎＲ３であり、
式中、Ｑはオキシ又は−ＮＲ１−であり、Ｒ１は水素、アルキル、アリール、又はアラルキルから選択され、
Ｒ２は独立してアルキレンであり、
Ｒ３はアルキルであり、
ｎは１を超える整数である、実施形態９に記載の方法。
[実施形態１４]
前記ケイ素含有ペンダント基が式−（ＣＯ）−Ｑ−Ｌ１−Ｓｉ（ＯＲ４）（Ｒ５）２であり、
式中、Ｑはオキシ又は−ＮＲ１−であり、Ｒ１は水素、アルキル、アリール、又はアラルキルから選択され、
Ｌ１はアルキレン又はヘテロアルキレンを含む、第１連結基であり、
Ｒ４は独立して水素、又はアルキルであるか、又はシリコーンの一部であり、
各Ｒ５は独立してヒドロキシル、アルキル、ペルフルオロアルキル、アリール、アラルキル、又はアルコキシであり、又はシリコーンの一部である、実施形態９に記載の方法。
[実施形態１５]
前記第四級アミノ含有ペンダント基が式−（ＣＯ）−Ｑ−Ｌ２−［Ｎ（Ｒ６）２（Ｒ７）］＋Ｘ−であり、
式中、
Ｑはオキシ又は−ＮＲ１−であり、Ｒ１は水素、アルキル、アリール、又はアラルキルから選択され、
Ｌ２はアルキレン又はヘテロアルキレンを含む、第１連結基であり、
各Ｒ６は独立してアルキル、アリール、又はアラルキルであり、
Ｒ７はアルキルであり、
Ｘ−はアニオンである、実施形態９に記載の方法。
[実施形態１６]
物品であって、
基材と、
前記基材に隣接したコーティングであって、前記コーティングが複数のペンダント基を有する高分子材料を含み、
前記複数のペンダント基が、
−ＣＯＯＨ基を含む第１のペンダント基又はその塩と、
ポリ（アルキレンオキシド）基を含む第２のペンダント基と、
ケイ素含有基を含む第３のペンダント基と、
第四級アミノ基を含む第４のペンダント基と、を含む、コーティングと、を含む、物品。
[実施形態１７]
基材を提供することと、及び
前記基材の表面にコーティングを適用することを含む抗菌性表面、防汚性表面、又はその両方である表面の調製方法であって、前記コーティングが複数のペンダント基を有する高分子材料を含み、前記複数のペンダント基が、
−ＣＯＯＨ基を含む第１のペンダント基又はその塩と、
ポリ（アルキレンオキシド）基を含む第２のペンダント基と、
ケイ素含有基を含む第３のペンダント基と、
第四級アミノ基を含む第４のペンダント基と、を含む、表面の調製方法。
[実施形態１８]
水、有機溶媒、又はこれらの混合物を含む、液体と、
前記液体に溶解した高分子材料を含む組成物であって、前記高分子材料が複数のペンダント基を有し、前記複数のペンダント基が、
−ＣＯＯＨ基を含む第１のペンダント基又はその塩と、
ポリ（アルキレンオキシド）基を含む第２のペンダント基と、
ケイ素含有基を含む第３のペンダント基と、
第四級アミノ基を含む第４のペンダント基を含む、組成物。
【手続補正２】
【補正対象書類名】特許請求の範囲
【補正対象項目名】全文
【補正方法】変更
【補正の内容】
【特許請求の範囲】
【請求項１】
高分子材料であって、
（ａ）少なくとも１つの、二価の式（Ｉ）のユニット又はその塩と、
【化５】
2012503703.tif 000006
（ｂ）少なくとも１つの、二価の式（ＩＩ）のユニット又はその塩と、
【化６】
2012503703.tif 000007
（ｃ）少なくとも１つの、二価の式（ＩＩＩ）のユニット又はその塩と、を含み、
【化７】
2012503703.tif 000008
式中、
各Ｄは独立して水素又はアルキルであり、
各Ｑは独立してオキシ又は−ＮＲ１−であり、Ｒ１は水素、アルキル、アリール、又はアラルキルから選択され、
各Ｒ２は独立してアルキレンであり、
各Ｒ３はアルキルであり、
Ｒ４は水素、又はアルキルであり、又はシリコーンの一部であり、
各Ｒ５は独立してヒドロキシル、アルキル、ペルフルオロアルキル、アリール、アラルキル、又はアルコキシであり、又はシリコーンの一部であり、
各Ｒ６は独立してアルキル、アリール、又はアラルキルであり、
Ｒ７はアルキルであり、
Ｌ１はアルキレン又はヘテロアルキレンを含む、第１連結基であり、
Ｌ２はアルキレン又はヘテロアルキレンを含む、第２連結基であり、
ｎは１を超える整数であり、
Ｘ−はアニオンである、高分子材料。
【請求項２】
基材と、
前記基材に隣接したコーティングとを、含む物品であって、前記コーティングが請求項１に記載の高分子材料を含む、物品。